(57)【特許請求の範囲】
【請求項１】
被写体像を受光面で取得する撮像素子を含み前記受光面に直交する光軸方向で見て矩形状を呈する撮像素子パッケージと、
該撮像素子パッケージにおいて光軸方向に直交する第１方向上に存在する一対の素子外側面と第１間隔で対向する一対の第１中間対向面を規定し、かつ光軸方向に直交しつつ前記第１方向に直交する第２方向への前記撮像素子パッケージの相対的な第１距離の移動を許容する中間部材と、
前記素子外側面と前記第１中間対向面とを掛け渡して接合する第１接着層と、
前記中間部材において前記第２方向上に存在する一対の第２中間対向面と第２間隔で対向する一対の保持内側面を規定し、かつ前記第１方向への前記中間部材の相対的な第２距離の移動を許容する保持部材と、
前記第２中間対向面と前記保持内側面とを掛け渡して接合する第２接着層と、を備え、
前記第１間隔は、前記第１距離の半分の値よりも小さく設定され、
前記第２間隔は、前記第２距離の半分の値よりも小さく設定されていることを特徴とする撮像素子固定構造。
【請求項２】
前記保持部材は、前記保持内側面を第１保持内側面として、前記第１方向上に存在する一対の第２保持内側面を有し、
前記中間部材は、前記各第２保持内側面に前記第１方向で対向する一対の第３中間対向面を有することを特徴とする請求項１に記載の撮像素子固定構造。
【請求項３】
前記撮像素子パッケージにおいて、前記素子外側面を第１素子外側面とし、前記第２方向上に存在する一対の第２素子外側面として、
前記中間部材は、前記第２素子外側面に前記第２方向で対向する一対の第４中間対向面を有することを特徴とする請求項１または請求項２に記載の撮像素子固定構造。
【請求項４】
前記第１距離は、前記第２方向で見て前記撮像素子の中心位置と前記中間部材における中間基準位置とを所定の位置関係とすべく前記撮像素子パッケージと前記中間部材との前記第２方向への相対的な移動を許容し、
前記第２距離は、前記第１方向で見て前記撮像素子の中心位置と前記保持部材における保持基準位置とを所定の位置関係とすべく前記中間部材と前記保持部材との前記第１方向への相対的な移動を許容すること特徴とする請求項１から請求項３のいずれか１項に記載の撮像素子固定構造。
【請求項５】
前記第１接着層は、前記第１方向で見て前記各素子外側面とそれぞれに対向する前記各第１中間対向面との間を前記第１間隔とし、かつ前記第２方向で見て前記撮像素子の中心位置と前記中間部材における中間基準位置とを所定の位置関係として、前記撮像素子パッケージと前記中間部材とを接合し、
前記第２接着層は、前記第２方向で見て前記各第２中間対向面とそれぞれに対向する前記各保持内側面との間を前記第２間隔とし、かつ前記第１方向で見て前記撮像素子の中心位置と前記保持部材における保持基準位置とを所定の位置関係として、前記中間部材と前記保持部材とを接合していることを特徴とする請求項１から請求項４のいずれか１項に記載の撮像素子固定構造。
【請求項６】
請求項１から請求項５のいずれか１項に記載の撮像素子固定構造が搭載されていることを特徴とする撮像装置。
【請求項７】
請求項１から請求項５のいずれか１項に記載の撮像素子固定構造が搭載されていることを特徴とする電子機器。
【請求項８】
請求項１から請求項５のいずれか１項に記載の撮像素子固定構造を用いる撮像素子固定方法であって、
前記撮像素子パッケージおよび前記中間部材を前記第１方向に相対的に移動して、前記各素子外側面とそれぞれに対向する前記各第１中間対向面との間を前記第１間隔とするとともに、前記撮像素子パッケージおよび前記中間部材を前記第２方向に相対的に移動して、前記撮像素子の中心位置と前記中間部材における中間基準位置とを所定の位置関係とする第１工程と、
該第１工程による位置関係を維持しつつ前記素子外側面と前記第１中間対向面との間に接着剤を配して前記第１接着層を形成する第２工程と、
前記撮像素子パッケージが固定された前記中間部材および前記保持部材を前記第２方向に相対的に移動して、前記各第２中間対向面とそれぞれに対向する前記各保持内側面との間を前記第２間隔とするとともに、前記中間部材および前記保持部材を前記第１方向に相対的に移動して、前記撮像素子の中心位置と前記保持部材における保持基準位置とを所定の位置関係とする第３工程と、
該第３工程による位置関係を維持しつつ前記第２中間対向面と前記保持内側面との間に接着剤を配して前記第２接着層を形成する第４工程と、を含むことを特徴とする撮像素子固定方法。
【発明の詳細な説明】
【技術分野】
【０００１】
本発明は、被写体像を取得する撮像素子を固定する撮像素子固定構造、それを用いる撮像装置、電子機器および撮像素子固定方法に関する。
【背景技術】
【０００２】
撮像装置では、撮影光学系を通して被写体像を撮像素子の受光面に受光させ、撮像素子からの画像信号に基づいて被写体像に対応したデジタル画像を生成するものが知られている。このような撮像装置では、撮像素子を保持部材に高い位置決め精度で固定し、その保持部材を撮影光学系に対して所定の位置に取り付ける撮像素子固定構造を採用するものがある。このような撮像素子固定構造では、撮像素子における受光面とは反対側の裏面に面で接することが可能な平板状を呈し、その平板箇所を貫通する固定孔を有する保持部材を用いることが考えられている（例えば、特許文献１参照）。
【発明の概要】
【発明が解決しようとする課題】
【０００３】
ところで、撮像装置では、基板および窓枠材により形成される凹部空間に撮像素子が設けられ、その凹部空間が気密的に封止されて構成される撮像素子パッケージを用いることが知られている。このような撮像素子パッケージでは、撮像素子の受光面に直交する方向で見て、その受光面（その中心位置）と外形形状の相対的な位置関係に公差があることから、外形形状を基準として撮影光学系に対する位置を設定すると、撮影光学系と受光面とを所定の位置関係とすることができなくなってしまう。
【０００４】
これに対して、上記した従来の撮像素子固定構造では、撮像素子パッケージの裏面に保持部材を宛がい、その撮像素子パッケージに宛がわれた保持部材の裏面側から固定孔に接着剤を充填することで、撮像素子パッケージを保持部材に対して調整した位置で固定することができる。このため、この撮像素子固定構造を用いる撮像装置では、撮影光学系に対して保持部材を所定の位置に取り付けることで、撮影光学系に対して撮像素子パッケージを高い精度で所定の位置に配することができる。
【０００５】
しかしながら、この撮像素子固定構造では、撮像素子パッケージ（撮像素子）の裏面に保持部材を宛がう構成であることから、撮像素子パッケージの受光面に直交する方向の大きさ寸法（撮像素子固定構造における厚さ寸法とする）の増大を招いてしまう。このような厚さ寸法の増大は、撮像素子固定構造を用いる撮像装置における大きさ寸法（多くの場合は厚さ寸法）の増大を招いてしまうことから、抑制することが望ましい。
【０００６】
本発明は、上記の事情に鑑みて為されたもので、厚さ寸法の増大を招くことなく、保持部材に対して適切な位置に撮像素子パッケージを固定することのできる撮像素子固定構造を提供することを目的とする。
【課題を解決するための手段】
【０００７】
請求項１に記載の撮像素子固定構造は、被写体像を受光面で取得する撮像素子を含み前記受光面に直交する光軸方向で見て矩形状を呈する撮像素子パッケージと、該撮像素子パッケージにおいて光軸方向に直交する第１方向上に存在する一対の素子外側面と第１間隔で対向する一対の第１中間対向面を規定し、かつ光軸方向に直交しつつ前記第１方向に直交する第２方向への前記撮像素子パッケージの相対的な第１距離の移動を許容する中間部材と、前記素子外側面と前記第１中間対向面とを掛け渡して接合する第１接着層と、前記中間部材において前記第２方向上に存在する一対の第２中間対向面と第２間隔で対向する一対の保持内側面を規定し、かつ前記第１方向への前記中間部材の相対的な第２距離の移動を許容する保持部材と、前記第２中間対向面と前記保持内側面とを掛け渡して接合する第２接着層と、を備え、前記第１間隔は、前記第１距離の半分の値よりも小さく設定され、前記第２間隔は、前記第２距離の半分の値よりも小さく設定されていることを特徴とする。
【発明の効果】
【０００８】
本発明に係る撮像素子固定構造では、厚さ寸法の増大を招くことなく、保持部材に対して適切な位置に撮像素子パッケージを固定することができる。
【図面の簡単な説明】
【０００９】
【図１】本発明に係る撮像装置の一例としてのデジタルカメラ１０を示す説明図であり、（ａ）は正面を示し、（ｂ）は背面を示している。
【図２】デジタルカメラ１０における制御ブロックを示す説明図である。
【図３】固定枠３１（その固定筒部１３ａ）内にレンズ鏡胴１３が設けられている様子を模式的な断面で示す説明図である。
【図４】実施例１に係る撮像素子固定構造５０の構成を説明するためにＺ軸方向正側から見た説明図である。
【図５】撮像素子固定構造５０の構成を説明するための斜視図である。
【図６】撮像素子固定構造５０の構成を説明するためにＹ軸方向正側から見た説明図である。
【図７】中間部材５２の接着用切欠部５８の構成を説明するための説明図である。
【図８】撮像素子固定構造５０を用いた撮像素子パッケージ５１の固定方法を示すフローチャートである。
【図９】従来の技術の課題を説明するための撮像素子固定構造１を示す説明図である。
【図１０】実施例２に係る撮像素子固定構造５０Ａの構成を説明するための図４と同様の説明図である。
【図１１】実施例３に係る撮像素子固定構造５０Ｂの構成を説明するための図４と同様の説明図である。
【発明を実施するための形態】
【００１０】
以下に、本発明に係る撮像素子固定構造の各実施例について図面を参照しつつ説明する。
【実施例１】
【００１１】
本発明に係る撮像素子固定構造の一例としての実施例１の撮像素子固定構造５０と、それを用いた撮像装置の一例としてのデジタルカメラ１０と、を、図１から図７を用いて説明する。図１に示すＺ軸方向は筐体１１に設けられた状態でのレンズ鏡胴１３（撮影光学系１２）の撮影光軸方向に並行な方向である。この撮影光軸は、撮影光学系１２における光学的な軸線、すなわちその各光学部材の回転対称軸であって、デジタルカメラ１０の撮影光軸となる。そのＺ軸に直交する面をＸ−Ｙ平面とする。このＺ軸方向の正の側は、デジタルカメラ１０の正面側（前側）であり、Ｚ軸方向の負の側は、カメラの背面側（後側）である。また、Ｘ軸方向は、筐体１１に設けられたレンズ鏡胴１３（撮影光学系１２）の撮影光軸方向に垂直な方向である。Ｘ軸方向の正の側は右側であり、Ｘ軸方向の負の側は左側である。さらに、Ｙ軸方向は、筐体１１に設けられたレンズ鏡胴１３（撮影光学系１２）の撮影光軸方向に垂直な方向である。Ｙ軸方向の正の側は上側であり、Ｙ軸方向の負の側は下側である。なお、図５では、理解容易のために、第１接着層６７および第２接着層６８を省略して示している。
【００１２】
実施例１のデジタルカメラ１０は、撮像素子を撮影光軸方向に垂直な面内で移動させて手ぶれを補正する手ぶれ補正機能を有している。デジタルカメラ１０は、図１に示すように、全体に直方体形状を呈する筐体１１を有し、その筐体１１の前面（図１（ａ）を正面視して手前側の面）側に撮影光学系１２を取付けたレンズ鏡胴１３が設けられている。この撮影光学系１２は、図示は略すが、固定レンズ、ズームレンズ、フォーカスレンズ、シャッタユニットおよび絞りユニット等の複数の光学部材を備える。レンズ鏡胴１３は、撮影光学系１２の撮影光軸に沿って、所定の沈胴位置（収納状態（図１（ａ）参照））と所定の繰出位置（撮影待機状態（図３参照））との間で移動可能とされている。
【００１３】
筐体１１では、上面（図１を正面視して上側の面）に操作部１４としてのレリーズボタン１４ａが設けられている。また、筐体１１では、背面（図１（ｂ）を正面視して手前側の面）に操作部１４としての方向指示用スイッチ１４ｂや各種スイッチ１４ｃが設けられている。この操作部１４は、その他にも、図示は略すが、各メニュー等の設定のためのダイヤルやＡＤＪレバー等を有している。また、筐体１１の背面には、表示部１５（その表示面）が設けられている。この表示部１５は、撮像された画像データや記録媒体に記録された画像データに基づき画像を表示する。
【００１４】
このデジタルカメラ１０は、図２に示すように、撮像素子１６と、レンズ鏡胴駆動ユニット１７と、位置検出素子１８と、ぶれ検出素子１９と、制御部２１と、手ぶれ補正機構３０と、を有する。撮像素子１６は、ＣＣＤイメージセンサやＣＭＯＳイメージセンサ等の固体撮像素子で構成されており、撮影光学系１２を通して受光面１６ａ（図４参照）上に結像された被写体像を電気信号（画像データ）に変換して出力する。その出力された電気信号（画像データ）は、制御部２１へと伝送される。この撮像素子１６は、後述するように、撮像素子パッケージ５１に設けられている。
【００１５】
レンズ鏡胴駆動ユニット１７は、レンズ鏡胴１３を収納状態（図１（ａ）参照）と撮影待機状態（図３参照）とで移行すべく、撮影光学系１２の各光学部材を各々支持する光学部材保持枠（図示せず）を移動させる。位置検出素子１８は、後述するベース板３２に対する載置ステージ３３（図３参照）の位置を検出するものであり、実施例１では、ホール素子で構成されて、載置ステージ３３に設けられている。ぶれ検出素子１９は、デジタルカメラ１０自体（その筐体１１）に生じたぶれすなわち空間で移動を検出するぶれ検出機構であり、実施例１では、ジャイロセンサで構成されて、筐体１１に設けられている。なお、このぶれ検出素子１９は、加速度センサを用いて構成することもできる。この位置検出素子１８およびぶれ検出素子１９は、検出信号を制御部２１へと出力する。位置検出素子１８およびぶれ検出素子１９は、実施例１では、手ぶれ補正機構３０における撮像素子１６（後述する撮像素子パッケージ５１）の移動方向に合わせて検出方向が設定されている。
【００１６】
制御部２１は、操作部１４に為された操作に基づく駆動処理や、撮像素子１６からの信号に基づく画像データの生成処理や、表示部１５、レンズ鏡胴駆動ユニット１７（図１参照）および後述する手ぶれ補正機構３０の駆動等の制御を統括的に行う。制御部２１は、撮影光学系１２を経て撮像素子１６で画像を取得し、その画像を筐体１１の後面側に設けられた表示部１５に適宜表示させる。制御部２１には、位置検出素子１８やぶれ検出素子１９から検出信号が入力される。
（レンズ鏡胴１３の構成）
デジタルカメラ１０は、図３に示すように、固定枠３１を備える。その固定枠３１は、後述するように手ぶれ補正機構３０が設けられたベース板３２の前面側（被写体側）に一体的に形成されており、内方に円筒形状の固定筒部３１ａを有する。この固定筒部３１ａの内周面には、図示は略すが、軸方向に沿う直進溝やカム溝が形成されている。固定筒部３１ａの内方に、レンズ鏡胴１３が設けられる。
【００１７】
そのレンズ鏡胴１３は、固定筒部３１ａの内方に挿入可能な筒状を呈する。レンズ鏡胴１３では、図示は略すが、内方に撮影光学系１２（図１参照）の各光学部材を各々保持する光学部材保持枠や、その光学部材保持枠を撮影光軸方向に移動させるための回転筒やライナー等が適宜設けられる。レンズ鏡胴１３は、レンズ鏡胴駆動ユニット１７を構成するモータの出力軸からの駆動力が適宜ギア伝達されることにより、固定筒部３１ａ内において撮影光軸回りに回転しつつ撮影光軸方向に適宜進退されて、所定の沈胴位置（収納状態（図１（ａ）参照））と所定の繰出位置（撮影待機状態（図３参照））とで移行し、撮影光学系１２（図１参照）の各光学部材（図示せず）を撮影光軸上での所定の位置へと適宜移動させる。
（手ぶれ補正機構３０の構成）
手ぶれ補正機構３０は、載置ステージ３３（撮像素子１６（後述する撮像素子パッケージ５１））を撮影光軸方向（Ｚ軸方向）に垂直な面（Ｘ−Ｙ平面）内で移動させて手ぶれを補正する。その載置ステージ３３は、図３に示すように、後述する撮像素子パッケージ５１を保持することにより、撮像素子１６を保持する。載置ステージ３３は、図示は略すが、スライド枠によりＸ軸方向へと移動自在に保持され、そのスライド枠がベース板３２に固定されたスライド保持枠によりＹ軸方向へと移動自在に保持されることにより、ベース板３２においてＸ−Ｙ平面に沿って移動可能に保持されている。そのスライド枠は、図示は略すが、載置ステージ３３のＹ軸方向で見た両側に沿うようにＸ軸方向に延在する一対のガイド棒を有し、その両ガイド棒を載置ステージ３３のＹ軸方向の両側部に摺動自在に挿通させて、当該載置ステージ３３を保持している。また、スライド保持枠は、図示は略すが、載置ステージ３３のＸ軸方向で見た両側に沿うようにＹ軸方向に延在する一対のガイド棒を有し、その両ガイド棒をスライド枠のＸ軸方向の両側部に摺動自在に挿通させて、当該スライド枠を保持している。これにより、載置ステージ３３すなわちそこに保持された撮像素子パッケージ５１（撮像素子１６）は、スライド保持枠が固定されたベース板３２すなわちレンズ鏡胴１３の撮影光学系１２（図１参照）（その撮影光軸）に対して、所定の範囲内でＸ−Ｙ平面に沿って移動可能とされている。
【００１８】
また、図示は略すが、上記したスライド保持枠には、Ｘ−Ｙ平面で見て、スライド枠を取り囲むようにＹ軸方向またはＸ軸方向に隣接されて、永久磁石と一体に形成された２つのヨークが設けられている。この各ヨークの背面側（被写体とは反対側）には、当該各ヨークとＺ軸方向で対向するように、２つのコイルが設けられている。この各コイルは、載置ステージ３３において、スライド保持枠の裏面側（被写体とは反対側）で当該ヨークとＺ軸方向で対向する位置まで延出された延出部に固定されている。
【００１９】
手ぶれ補正機構３０では、各コイルに磁力を適宜発生させて、それぞれがＺ軸方向で対向されたヨーク（そこと一体に形成された永久磁石）との間で、双方の磁力による吸引反発力を適宜作用させることにより、載置ステージ３３をＸ軸方向に、スライド枠（図示せず）をＹ軸方向にそれぞれ移動させることができる。この載置ステージ３３には、上記したように、載置ステージ３３の位置を検出するための位置検出素子１８（図２参照）が設けられている。
【００２０】
この手ぶれ補正機構３０では、制御部２１（図２参照）の制御下で、上記したぶれ検出素子１９（図２参照）で検出したぶれ検出情報に基づいて、各コイルへの印加電流を制御する。この制御により、各コイルとヨーク（そこと一体に形成された永久磁石）との間に磁力による吸引反発力を適宜作用させる。この吸引反発力によって、載置ステージ３３すなわち撮像素子パッケージ５１（撮像素子１６）をＸ軸方向に、スライド枠（図示せず）をＹ軸方向にそれぞれ手ぶれを打ち消すように移動させて、撮像素子１６（撮像素子パッケージ５１）を撮影光軸に対してＸ−Ｙ平面上で所定の位置へと移動させることができる。このため、デジタルカメラ１０すなわち手ぶれ補正機構３０では、制御部２１が各コイルへの印加電流を制御することにより、手ぶれを打ち消すようにＸ−Ｙ平面上で移動させて手ぶれによる被写体の像の移動に撮像素子１６（撮像素子パッケージ５１）追従移動させて手ぶれ補正を行う。
【００２１】
次に、本願発明のデジタルカメラ１０の特徴部分について、図４から図７を用いて説明する。デジタルカメラ１０では、本願発明に係る撮像素子固定構造５０が用いられている。この撮像素子固定構造５０は、撮像素子パッケージ５１と、中間部材５２と、保持部材５３と、を備える。
【００２２】
撮像素子パッケージ５１は、全体に平板状を呈し、明確に図示はしないが基板および窓枠材により形成される凹部空間に撮像素子１６が設けられ、その凹部空間が気密的に封止されて構成されている。この撮像素子パッケージ５１では、図４を正面視して手前側に受光面１６ａを望ませて撮像素子１６が配されており、図４の紙面に直交する方向が撮影光軸方向（Ｚ軸方向）とされている。撮像素子パッケージ５１には、実施例１では、撮像素子１６（その受光面１６ａ）に入射する光を制御する光学フィルタ５１ａが設けられている。この撮像素子パッケージ５１は、撮影光軸方向（Ｚ軸方向）で見て矩形状を呈し、その各辺がＸ軸方向およびＹ軸方向に沿うものとされている。実施例１では、撮像素子パッケージ５１において、Ｘ軸方向上の位置に存在する一対の外側面を第１素子外側面５４とし、Ｙ軸方向上の位置に存在する一対の外側面を第２素子外側面５５とする。この撮像素子パッケージ５１の外方に中間部材５２が設けられる。
【００２３】
この中間部材５２は、平板状の部材から形成されている。中間部材５２は、実施例１では、Ｚ軸方向での厚さ寸法が撮像素子パッケージ５１よりも小さいものとされている。この中間部材５２は、Ｚ軸方向で見て全体に矩形状を呈し、中央にＺ軸方向に貫通する配置孔５２ａが設けられている。この配置孔５２ａは、Ｚ軸方向で見て撮像素子パッケージ５１の外形形状に倣う矩形状とされて、撮像素子パッケージ５１よりも大きな大きさ寸法とされている。配置孔５２ａは、その各辺がＸ軸方向およびＹ軸方向に沿うものとされている。このため、中間部材５２は、Ｘ−Ｙ平面で見て、撮像素子パッケージ５１を取り囲むことが可能な枠状とされている。
【００２４】
この中間部材５２の内側面すなわち配置孔５２ａを規定する壁面において、Ｘ軸方向上の位置に存在し一対の第１素子外側面５４とＸ軸方向で対向する面を第１中間対向面５６とし、Ｙ軸方向上の位置に存在し一対の第２素子外側面５５とＹ軸方向で対向する面を第４中間対向面５７とする。
【００２５】
中間部材５２では、両第１中間対向面５６に接着用切欠部５８が設けられている。この接着用切欠部５８は、後述する第１接着層６７（図４参照）を形成すべく接着剤が配される箇所である。接着用切欠部５８は、実施例１では、図７に示すように、第１中間対向面５６が部分的に切り欠かれて形成されており、Ｚ軸方向負側へ向かうに連れて配置孔５２ａの内方空間すなわち撮像素子パッケージ５１の第１素子外側面５４へと接近するようにＹ−Ｚ平面に対して傾斜する接着材受面５８ａを有する。中間部材５２では、図４および図５に示すように、実施例１では、各第１中間対向面５６に２つの接着用切欠部５８が設けられており、それぞれがＸ軸方向で対向する位置関係とされている。
【００２６】
この中間部材５２では、配置孔５２ａの大きさ寸法が次のように設定されている。配置孔５２ａでは、各第１中間対向面５６が、それぞれが対向する撮像素子パッケージ５１の各第１素子外側面５４と、Ｘ軸方向で見て第１間隔Ｃ１を置いて対向するものとされている。すなわち、配置孔５２ａは、Ｘ軸方向で見た両側に第１間隔Ｃ１を置きつつ撮像素子パッケージ５１を受け入れることが可能な大きさ寸法とされている。この第１間隔Ｃ１は、各第１中間対向面５６に設けられた各接着用切欠部５８の大きさ寸法と、後述する第１接着層６７（図４参照）を形成すべくそこに配される接着剤の材質および量と、を勘案して設定する。換言すると、第１間隔Ｃ１は、接着用切欠部５８に第１接着層６７のための接着剤が配された際、当該接着剤が接着用切欠部５８内を埋めつつ、その接着材受面５８ａと第１間隔Ｃ１を置いてＸ軸方向で対向する第１素子外側面５４との間を略均一な厚さ寸法（Ｚ軸方向で見た高さ寸法）で掛け渡す（図３参照）ことを可能とする大きさに設定する。この第１間隔Ｃ１は、実施例１では、０．３ｍｍに設定している。
【００２７】
また、配置孔５２ａでは、各第４中間対向面５７が、それぞれが対向する撮像素子パッケージ５１の各第２素子外側面５５と、Ｙ軸方向で見て第３間隔Ｃ３を置いて対向するものとされている。すなわち、配置孔５２ａは、Ｙ軸方向で見た両側に第３間隔Ｃ３を置きつつ撮像素子パッケージ５１を受け入れることが可能な大きさ寸法とされている。この第３間隔Ｃ３は、撮像素子パッケージ５１と中間部材５２とがＹ軸方向へと相対的に第１距離だけ移動することを許容する観点から設定するものであり、第１間隔Ｃ１よりも大きな値に設定する。この第１距離は、少なくとも撮像素子パッケージ５１における、Ｙ軸方向で見た外形形状の中心位置に対する撮像素子１６の受光面１６ａの中心位置Ｒｃ（図４参照）のずれ量の許容値（公差）に設定する。このため、第３間隔Ｃ３は、少なくとも当該公差（第１距離）を半分にした値に設定する。この第３間隔Ｃ３は、実施例１では、当該公差を半分にした値よりも僅かに大きな値に設定しており、０．８ｍｍに設定している。
【００２８】
この中間部材５２の外側面すなわち外形を規定する壁面において、Ｙ軸方向上の位置に存在する面を一対の第２中間対向面６１とし、Ｘ軸方向上の位置に存在する面を一対の第３中間対向面６２とする。また、中間部材５２では、中間基準位置５９が設けられている。この中間基準位置５９は、中間部材５２において、撮像素子パッケージ５１（その撮像素子１６の受光面１６ａの中心位置Ｒｃ（図４参照））に対する位置決めの基準となる。中間基準位置５９は、実施例１では、Ｘ軸方向上の位置に存在する辺材部すなわち第１中間対向面５６と第３中間対向面６２とを規定する辺材部のうち、Ｘ軸方向の正側に位置するものに設けられている。この中間部材５２の外方に保持部材５３が設けられる。
【００２９】
この保持部材５３は、平板状の部材から形成されている。保持部材５３は、実施例１では、Ｚ軸方向での厚さ寸法が撮像素子パッケージ５１よりも小さいものとされている。この保持部材５３は、Ｚ軸方向で見て全体に矩形状を呈し、中央にＺ軸方向に貫通する配置孔５３ａが設けられている。この配置孔５３ａは、Ｚ軸方向で見て中間部材５２の外形形状に倣う矩形状とされて、中間部材５２よりも大きな大きさ寸法とされている。配置孔５３ａは、その各辺がＸ軸方向およびＹ軸方向に沿うものとされている。このため、保持部材５３は、Ｘ−Ｙ平面で見て、中間部材５２を取り囲むことが可能な枠状とされている。
【００３０】
この保持部材５３の内側面すなわち配置孔５３ａを規定する壁面において、Ｙ軸方向上の位置に存在し一対の第２中間対向面６１とＹ軸方向で対向する面を第１保持内側面６３とし、Ｘ軸方向上の位置に存在し一対の第３中間対向面６２とＹ軸方向で対向する面を第２保持内側面６４とする。
【００３１】
保持部材５３では、両第１保持内側面６３に接着用切欠部６５が設けられている。この接着用切欠部６５は、後述する第２接着層６８（図４参照）を形成すべく接着剤が配される箇所である。接着用切欠部６５は、実施例１では、中間部材５２の接着用切欠部５８と同様に、第１保持内側面６３が部分的に切り欠かれて形成されており、Ｚ軸方向負側へ向かうに連れて配置孔５３ａの内方空間すなわち中間部材５２の第２中間対向面６１へと接近するようにＸ−Ｚ平面に対して傾斜する接着材受面６５ａを有する。保持部材５３では、実施例１では、各第１保持内側面６３に２つの接着用切欠部６５が設けられており、それぞれがＹ軸方向で対向する位置関係とされている。
【００３２】
この保持部材５３では、配置孔５３ａの大きさ寸法が次のように設定されている。配置孔５３ａでは、各第１保持内側面６３が、それぞれが対向する中間部材５２の各第２中間対向面６１と、Ｙ軸方向で見て第２間隔Ｃ２を置いて対向するものとされている。すなわち、配置孔５３ａは、Ｙ軸方向で見た両側に第２間隔Ｃ２を置きつつ中間部材５２を受け入れることが可能な大きさ寸法とされている。この第２間隔Ｃ２は、各第１保持内側面６３に設けられた各接着用切欠部６５の大きさ寸法と、後述する第２接着層６８（図４参照）を形成すべくそこに配される接着剤の材質および量と、を勘案して設定する。換言すると、第２間隔Ｃ２は、接着用切欠部６５に第２接着層６８のための接着剤が配された際、当該接着剤が接着用切欠部６５内を埋めつつ、その接着材受面６５ａと第２間隔Ｃ２を置いてＹ軸方向で対向する第１保持内側面６３との間を略均一な厚さ寸法（Ｚ軸方向で見た高さ寸法）で掛け渡す（図３参照）ことを可能とする大きさに設定する。この第２間隔Ｃ２は、実施例１では、０．３ｍｍに設定している。
【００３３】
また、配置孔５３ａでは、各第２保持内側面６４が、それぞれが対向する中間部材５２の各第３中間対向面６２と、Ｘ軸方向で見て第４間隔Ｃ４を置いて対向するものとされている。すなわち、配置孔５３ａは、Ｘ軸方向で見た両側に第４間隔Ｃ４を置きつつ中間部材５２を受け入れることが可能な大きさ寸法とされている。この第４間隔Ｃ４は、中間部材５２と保持部材５３とがＸ軸方向へと相対的に第２距離だけ移動することを許容する観点から設定するものであり、第２間隔Ｃ２よりも大きな値に設定する。この第２距離は、少なくとも撮像素子パッケージ５１における、Ｘ軸方向で見た外形形状の中心位置に対する撮像素子１６の受光面１６ａの中心位置Ｒｃ（図４参照）のずれ量の許容値（公差）に設定する。このため、第４間隔Ｃ４は、少なくとも当該公差（第２距離）を半分にした値に設定する。この第４間隔Ｃ４は、実施例１では、当該公差を半分にした値よりも僅かに大きな値に設定しており、０．８ｍｍに設定している。
【００３４】
また、保持部材５３では、保持基準位置６６が設けられている。この保持基準位置６６は、保持部材５３において、撮像素子パッケージ５１（その撮像素子１６の受光面１６ａの中心位置Ｒｃ（図４参照））に対する位置決めの基準となる。保持基準位置６６は、実施例１では、Ｘ軸方向上の位置に存在する辺材部すなわち第２保持内側面６４を規定する辺材部のうち、Ｘ軸方向の正側に位置するものに設けられている。
【００３５】
第１接着層６７は、各第１中間対向面５６と各第１素子外側面５４との間をＸ軸方向で掛け渡す（両面をＸ軸方向で繋ぐ）ことで、撮像素子パッケージ５１と中間部材５２とを接合するものである。実施例１では、中間部材５２の各第１中間対向面５６に設けられた各接着用切欠部５８に、接着剤が配されることにより形成される。この接着材は、実施例１では、紫外線硬化型のものを用いている。接着剤は、上記した接着用切欠部５８と第１間隔Ｃ１との設定により、接着用切欠部５８（その接着材受面５８ａ）と第１中間対向面５６との間を略均一な厚さ寸法（Ｚ軸方向で見た高さ寸法）で掛け渡す。この接着剤は、この掛け渡した状態において紫外線が照射されることにより、掛け渡した状態を維持しつつ硬化されて、接着用切欠部５８（その接着材受面５８ａ）すなわち第１中間対向面５６と第１素子外側面５４と掛け渡す第１接着層６７が形成される。
【００３６】
なお、第１接着層６７のための接着材は、実施例１では、図示は略すが、空気圧を利用することにより、所定の量を塗布（出射）することのできる注射器型のディスペンサーを用いて各接着用切欠部５８に配する。このため、接着用切欠部５８と第１間隔Ｃ１との設定は、当該ディスペンサー（図示せず）における１回の接着材の塗布量を基準として設定する。このようなディスペンサーを用いることにより、第１接着層６７の形成作業、すなわち撮像素子パッケージ５１と中間部材５２との接合作業を効率良く行うことができる。
【００３７】
第２接着層６８は、各第１保持内側面６３と各第２中間対向面６１との間をＹ軸方向で掛け渡す（両面をＹ軸方向で繋ぐ）ことで、中間部材５２と保持部材５３とを接合するものである。実施例１では、保持部材５３の各第１保持内側面６３に設けられた各接着用切欠部６５に、上記したディスペンサーを用いて接着剤が配されることにより形成される。この接着材は、実施例１では、第１接着層６７と同様に、紫外線硬化型のものを用いている。接着剤は、上記した接着用切欠部６５と第２間隔Ｃ２との設定により、接着用切欠部６５（その接着材受面６５ａ）と第２中間対向面６１との間を略均一な厚さ寸法（Ｚ軸方向で見た高さ寸法）で掛け渡す。この接着剤は、この掛け渡した状態において紫外線が照射されることにより、掛け渡した状態を維持しつつ硬化されて、接着用切欠部６５（その接着材受面６５ａ）すなわち第１保持内側面６３と第２中間対向面６１と掛け渡す第２接着層６８が形成される。このため、接着用切欠部６５と第２間隔Ｃ２との設定は、当該ディスペンサー（図示せず）における１回の接着剤の塗布量を基準として設定する。このようなディスペンサーを用いることにより、第２接着層６８の形成作業、すなわち中間部材５２と保持部材５３との接合作業を効率良く行うことができる。
【００３８】
次に、撮像素子固定構造５０における撮像素子パッケージ５１の固定方法について図８を用いて説明する。図８は、実施例１の撮像素子固定構造５０を用いた撮像素子パッケージ５１の固定方法を示すフローチャートである。以下、図８のフローチャートの各ステップについて説明する。
【００３９】
ステップＳ１では、中間部材５２の配置孔５２ａの中に撮像素子パッケージ５１を配して、ステップＳ２へ進む。このステップＳ１では、配置孔５２ａの内方において、撮像素子パッケージ５１の一対の第１素子外側面５４を中間部材５２の各第１中間対向面５６に対向させるとともに、撮像素子パッケージ５１の一対の第２素子外側面５５を中間部材５２の各第４中間対向面５７に対向させる（図４参照）。
【００４０】
ステップＳ２では、ステップＳ１での配置孔５２ａの中に撮像素子パッケージ５１を配することに続き、中間部材５２（配置孔５２ａ）に対する撮像素子パッケージ５１のＸ軸方向の位置を調整して、ステップＳ３へ進む。このステップＳ２では、中間部材５２の中間基準位置５９を基準として撮像素子パッケージ５１の外形形状（各第１素子外側面５４）が所定の位置関係となるように、中間部材５２と撮像素子パッケージ５１とをＸ軸方向に相対的に移動し、撮像素子パッケージ５１の各第１素子外側面５４が、それぞれが対応する中間部材５２（配置孔５２ａ）の第１中間対向面５６に対して、Ｘ軸方向で見て第１間隔Ｃ１を置くものとする。換言すると、ステップＳ２では、Ｘ軸方向で見た両側に第１間隔Ｃ１を置いて（略中心位置に）、撮像素子パッケージ５１を配置孔５２ａ内に配する。実施例１では、ステップＳ２において、中間部材５２を固定するとともに、撮像素子パッケージ５１を治具（図示せず）で摘んで移動させることにより、中間部材５２に対する撮像素子パッケージ５１のＸ軸方向での位置の調整を行う。
【００４１】
ステップＳ３では、ステップＳ２での中間部材５２に対する撮像素子パッケージ５１のＸ軸方向の位置の調整に続き、中間部材５２（配置孔５２ａ）に対する撮像素子パッケージ５１のＹ軸方向の位置を調整して、ステップＳ４へ進む。このステップＳ３では、中間部材５２と撮像素子パッケージ５１とをＹ軸方向に相対的に移動して、中間部材５２の中間基準位置５９と撮像素子パッケージ５１の撮像素子１６の受光面１６ａの中心位置Ｒｃ（図４参照）とを、Ｙ軸方向で見て所定の位置関係とする。換言すると、ステップＳ３では、受光面１６ａの中心位置Ｒｃを基準として、配置孔５２ａ内におけるＹ軸方向で見た撮像素子パッケージ５１の位置を調整する。このステップＳ３では、ステップＳ２と同様に、中間部材５２を固定するとともに、撮像素子パッケージ５１を治具（図示せず）で摘んで移動させることにより行う。このステップＳ３におけるＹ軸方向での位置の調整は、図示は略すが、画像認識技術やレーザー変位計を用いることにより受光面１６ａの中心位置Ｒｃを測定し、その中心位置Ｒｃと中間基準位置５９とをＹ軸方向での所定の位置関係とすることにより行う。このステップＳ２およびステップＳ３は、配置孔５２ａ内において、Ｘ軸方向（後述する第１方向）で見て撮像素子パッケージ５１（その外形形状）と第１間隔Ｃ１を置き、かつＹ軸方向（後述する第２方向）で見て撮像素子１６の受光面１６ａの中心位置Ｒｃを基準とする調整を行う第１工程となる。このため、実施例１では、Ｘ軸方向が第１方向となり、Ｙ軸方向が第２方向となる。
【００４２】
ステップＳ４では、ステップＳ３での中間部材５２に対する撮像素子パッケージ５１のＹ軸方向の位置の調整に続き、第１接着層６７を形成して、ステップＳ５へ進む。このステップＳ４では、ステップＳ２およびステップＳ３により調整された状態を維持しつつ、上記したディスペンサー（図示せず）を用いて各接着用切欠部５８に接着剤を配し、当該接着剤に紫外線を照射することにより、接着用切欠部５８（その接着材受面５８ａ）と第１中間対向面５６との間を略均一な厚さ寸法で掛け渡す第１接着層６７を形成する。このステップＳ４により、中間部材５２の配置孔５２ａには、適切に形成された４つの第１接着層６７により、Ｙ軸方向の位置が調整された状態で撮像素子パッケージ５１が取り付けられる。このステップＳ４は、第１接着層６７を形成して中間部材５２の配置孔５２ａに撮像素子パッケージ５１を取り付ける第２工程となる。
【００４３】
ステップＳ５では、ステップＳ４での第１接着層６７の形成に続き、保持部材５３の配置孔５３ａの中に撮像素子パッケージ５１が取り付けられた中間部材５２を配して、ステップＳ６へ進む。このステップＳ５では、配置孔５３ａの内方において、中間部材５２の一対の第２中間対向面６１を保持部材５３の各第１保持内側面６３に対向させるとともに、中間部材５２の一対の第３中間対向面６２を保持部材５３の各第２保持内側面６４に対向させる（図４参照）。
【００４４】
ステップＳ６では、ステップＳ５での配置孔５３ａの中に中間部材５２を配置することに続き、保持部材５３（配置孔５３ａ）に対する中間部材５２のＹ軸方向の位置を調整して、ステップＳ７へ進む。このステップＳ６では、保持部材５３の保持基準位置６６を基準として中間部材５２の外形形状（各第２中間対向面６１）が所定の位置関係となるように、保持部材５３と中間部材５２とをＹ軸方向に相対的に移動して、中間部材５２の各第２中間対向面６１が、それぞれが対応する保持部材５３（配置孔５３ａ）の第１保持内側面６３に対して、Ｙ軸方向で見て第２間隔Ｃ２を置くものとする。換言すると、ステップＳ６では、Ｙ軸方向で見た両側に第２間隔Ｃ２を置いて（略中心位置に）、撮像素子パッケージ５１を配置孔５３ａ内に配する。実施例１では、ステップＳ６において、保持部材５３を固定するとともに、中間部材５２を治具（図示せず）で摘んで移動させることにより、保持部材５３に対する中間部材５２のＹ軸方向での位置の調整を行う。
【００４５】
ステップＳ７では、ステップＳ６での保持部材５３に対する中間部材５２のＹ軸方向の位置の調整に続き、保持部材５３（配置孔５３ａ）に対する中間部材５２のＸ軸方向の位置を調整して、ステップＳ８へ進む。このステップＳ７では、保持部材５３と中間部材５２とをＸ軸方向に相対的に移動して、保持部材５３の保持基準位置６６と、中間部材５２に固定（保持）された撮像素子パッケージ５１の撮像素子１６の受光面１６ａの中心位置Ｒｃ（図４参照）とを、Ｘ軸方向で見て所定の位置関係とする。換言すると、ステップＳ７では、受光面１６ａの中心位置Ｒｃを基準として、配置孔５３ａ内におけるＸ軸方向で見た中間部材５２（撮像素子パッケージ５１）の位置を調整する。このステップＳ７では、ステップＳ６と同様に、保持部材５３を固定するとともに、中間部材５２を治具（図示せず）で摘んで移動させることにより行う。このステップＳ７におけるＸ軸方向での位置の調整は、図示は略すが、画像認識技術やレーザー変位計を用いることにより受光面１６ａの中心位置Ｒｃを測定し、その中心位置Ｒｃと保持基準位置６６とをＸ軸方向での所定の位置関係とすることにより行う。このステップＳ６およびステップＳ７は、配置孔５３ａ内において、Ｙ軸方向（後述する第２方向）で見て中間部材５２（その外形形状）と第２間隔Ｃ２を置き、かつＸ軸方向（後述する第１方向）で見て撮像素子１６の受光面１６ａの中心位置Ｒｃを基準とする調整を行う第３工程となる。
【００４６】
ステップＳ８では、ステップＳ７での保持部材５３に対する中間部材５２のＸ軸方向の位置の調整に続き、第２接着層６８を形成して、撮像素子（撮像素子パッケージ５１）の固定作業を終了する。このステップＳ８では、ステップＳ６およびステップＳ７により調整された状態を維持しつつ、上記したディスペンサー（図示せず）を用いて各接着用切欠部６５に接着剤を配し、当該接着剤に紫外線を照射することにより、接着用切欠部６５（その接着材受面６５ａ）と第２中間対向面６１との間を略均一な厚さ寸法で掛け渡す第２接着層６８を形成する。このステップＳ８により、保持部材５３の配置孔５３ａには、適切に形成された４つの第２接着層６８により、Ｘ軸方向の位置が調整された状態で中間部材５２（撮像素子パッケージ５１）が取り付けられる。このステップＳ８は、第２接着層６８を形成して保持部材５３の配置孔５３ａに中間部材５２すなわち撮像素子パッケージ５１を取り付ける第４工程となる。
【００４７】
次に、撮像素子の取り付け位置を調整可能な構成とする際の技術の課題について説明する。撮像素子パッケージ（５１）として構成された撮像素子（１６）では、例えば、上記したデジタルカメラ１０に用いる場合、その撮影光学系１２の撮影光軸に直交する方向での当該撮影光軸と受光面（１６ａ）との位置関係を高い精度で所定のものとすることが望ましい。その撮像素子パッケージ（５１）では、外形形状を規定する外枠部に複数の端子（図示せず）が設けられていることから、外形形状（外枠部）を基準として撮影光学系１２の撮影光軸に対する位置を設定することとなる。ところが、撮像素子パッケージ（５１）では、撮像素子（１６）の受光面（１６ａ（その中心位置（Ｒｃ）））と外形形状（外枠部）の相対的な位置関係には公差があるので、外形形状（外枠部）を基準として撮影光学系１２の撮影光軸に対する位置を設定すると、当該撮影光軸と受光面（その中心位置）とを所定の位置関係とすることができなくなってしまう。
【００４８】
このため、撮像素子（撮像素子パッケージ）における受光面とは反対側の裏面に面で接することが可能な平板状を呈し、その平板箇所を貫通する固定孔を有する保持部材を用いて、撮像素子を固定する撮像素子固定構造が考えられている。この撮像素子固定構造では、保持部材を撮像素子の裏面に宛がい、その撮像素子に宛がわれた支持プレートの裏面側から固定孔に接着剤を充填することで、撮像素子を保持部材に対して固定することができるので、支持プレートに対して撮像素子の固定位置を調整することができる。ところが、この撮像素子固定構造では、撮像素子の裏面に保持部材を宛がう構成であることから、撮像素子の受光面に直交する方向の大きさ寸法（撮像素子固定構造における厚さ寸法とする）の増大を招いてしまう。
【００４９】
このことから、図９に示すように、保持部材２に平板面と直交する方向に貫通する配置孔２ａを設け、その配置孔２ａを撮像素子パッケージ３の平板面に沿う方向での移動を許容する大きさ寸法とする撮像素子固定構造１とすることが考えられる（図９参照）。この撮像素子固定構造１では、配置孔２ａ内で撮像素子パッケージ３の位置を調整して接着層４で固定することにより、保持部材２の外形形状に対して撮像素子パッケージ３の受光面（その中心位置）を所定の位置関係としつつ、撮像素子固定構造の厚さ寸法の増大を防止することができる。
【００５０】
ところが、調整の結果、配置孔２ａ内での撮像素子パッケージ３の位置に偏りが生じた場合、保持部材２（配置孔２ａ）と撮像素子パッケージ３との間隔が小さくなったり大きくなったりすることから、接着層４を均等にかつ適切な強度で形成することができなくなる虞があり、保持部材２（配置孔２ａ）と撮像素子パッケージ３とを適切に接合することができなくなる虞がある。特に、上記したような所定の量の接着剤を塗布（出射）することのできる注射器型のディスペンサー（図示せず）を用いて接着層４を形成する場合、小さな間隔では配した接着材が溢れてしまったり（符号４Ａ参照）、大きな間隔では配した接着材の厚さ寸法（Ｚ軸方向での大きさ寸法）が不均一で小さくなったり（符号４Ｂ参照）してしまう。この大きな間隔における接着材の厚さ寸法の不均一は、接着剤の表面張力に起因する。ここで、接着層４を適切な強度とするためには、間隔に応じて接着剤を配する量を調整することが考えられるが、間隔を測定する機構が必要となるとともに当該間隔に応じて接着剤の量を調整する機構が必要となってしまう。このため、上記したディスペンサーを用いることに比較して、接着層４の形成作業すなわち保持部材２（配置孔２ａ）と撮像素子パッケージ３との接合作業の効率の悪化を招いてしまうとともに、撮像素子固定構造１におけるコストの上昇を招いてしまう。加えて、撮像素子パッケージ３の両側に設けられた両接着層４が不均等であることを解消することはできない。
【００５１】
これに対し、撮像素子固定構造５０では、中間部材５２の配置孔５２ａが、Ｘ軸方向で見た両側に第１間隔Ｃ１を置きつつ撮像素子パッケージ５１を受け入れることが可能であるとともに、Ｙ軸方向で見た両側に第３間隔Ｃ３を置きつつ撮像素子パッケージ５１を受け入れることが可能すなわち撮像素子パッケージ５１のＹ軸方向への相対的な第１距離の移動を許容するものとされている。また、保持部材５３の配置孔５３ａが、Ｙ軸方向で見た両側に第２間隔Ｃ２を置きつつ中間部材５２を受け入れることが可能であるとともに、Ｘ軸方向で見た両側に第４間隔Ｃ４を置きつつ中間部材５２を受け入れることが可能すなわち中間部材５２のＸ軸方向への相対的な第２距離の移動を許容するものとされている。
【００５２】
このため、撮像素子固定構造５０では、Ｘ軸方向での第１間隔Ｃ１の設定に影響を与えることなく中間部材５２（配置孔５２ａ）に対してＹ軸方向に撮像素子パッケージ５１を第１距離だけ移動することができるとともに、Ｙ軸方向での第２間隔Ｃ２の設定に影響を与えることなく保持部材５３（配置孔５３ａ）に対してＸ軸方向に中間部材５２を第２距離だけ移動することができる。換言すると、中間部材５２（配置孔５２ａ）に対する撮像素子パッケージ５１のＹ軸方向での位置調整に拘らず所定の第１間隔Ｃ１で各第１接着層６７を形成することができるとともに、保持部材５３（配置孔５３ａ）に対する中間部材５２のＸ軸方向での位置調整に拘らず所定の第２間隔Ｃ２で各第２接着層６８を形成することができる。
【００５３】
このことから、本発明に係る撮像素子固定構造５０では、所定の第１間隔Ｃ１で形成した各第１接着層６７でＸ軸方向（第１方向）に掛け渡すことにより撮像素子パッケージ５１と中間部材５２とを接合することができるととともに、所定の第２間隔Ｃ２で形成した各第２接着層６８でＹ軸方向（第２方向）に掛け渡すことにより中間部材５２と保持部材５３とを接合することができるので、撮像素子パッケージ５１を保持部材５３に適切な強度で取り付けることができる。
【００５４】
また、撮像素子固定構造５０では、Ｘ軸方向での第１間隔Ｃ１の設定に影響を与えることなく中間部材５２（配置孔５２ａ）に対して撮像素子パッケージ５１（撮像素子１６）のＹ軸方向（第２方向）での位置の調整が可能であるとともに、Ｙ軸方向での第２間隔Ｃ２の設定に影響を与えることなく保持部材５３（配置孔５３ａ）に対して中間部材５２のＸ軸方向（第１方向）での位置の調整が可能であることから、主に撮像素子パッケージ５１と中間部材５２との間でＹ軸方向（第２方向）の位置を調整することにより、撮像素子１６（撮像素子パッケージ５１）のＹ軸方向の位置決め精度を決定することができ、かつ主に中間部材５２と保持部材５３との間でＸ軸方向（第１方向）の位置を調整することにより、撮像素子１６（撮像素子パッケージ５１）のＸ軸方向の位置決め精度を決定することができる。よって、保持部材５３に対して撮像素子１６（その中心位置Ｒｃ）のＸ−Ｙ平面に沿う方向での位置を高い精度で調整して取り付けることができる。
【００５５】
さらに、撮像素子固定構造５０では、各第１接着層６７でＸ軸方向（第１方向）に掛け渡すことにより撮像素子パッケージ５１と中間部材５２とを接合するととともに、各第２接着層６８でＹ軸方向（第２方向）に掛け渡すことにより中間部材５２と保持部材５３とを接合する構成であることから、従来の撮像素子の裏面に保持部材を宛がって接着する構成に比較して、厚さ寸法（Ｚ軸方向での大きさ寸法）の増大を防止することができる。
【００５６】
撮像素子固定構造５０では、中間部材５２の配置孔５２ａを、Ｘ軸方向で見た両側に第１間隔Ｃ１を置きつつ撮像素子パッケージ５１を受け入れることが可能な大きさ寸法としていることから、Ｘ軸方向で見て配置孔５２ａ内の中間位置に撮像素子パッケージ５１を配するだけで、一対の第１素子外側面５４と一対の第１中間対向面５６とを第１間隔Ｃ１とすることができる。このため、撮像素子パッケージ５１と中間部材５２とのＸ軸方向での位置調整を容易なものとしつつ適切な状態でＸ軸方向に掛け渡す第１接着層６７を形成することができ、撮像素子パッケージ５１すなわち撮像素子１６と中間部材５２とを容易にかつ適切に接合することができる。
【００５７】
撮像素子固定構造５０では、中間部材５２の配置孔５２ａを、Ｘ軸方向で見た両側に第１間隔Ｃ１を置きつつ撮像素子パッケージ５１を受け入れることが可能な大きさ寸法としており、その第１間隔Ｃ１を、ディスペンサー（図示せず）における１回の接着材の塗布量を基準として当該接着材が第１素子外側面５４と第１中間対向面５６との間を略均一な厚さ寸法（Ｚ軸方向で見た高さ寸法）で掛け渡すことを可能とする大きさに設定していることから、１回の接着材の塗布回数で１つの第１接着層６７を適切に形成することができる。このため、撮像素子パッケージ５１と中間部材５２との接合作業における接着材の塗布回数を最小限とすることができ、当該接合作業を効率良く行うことができる。
【００５８】
撮像素子固定構造５０では、第３間隔Ｃ３を撮像素子パッケージ５１と中間部材５２とがＹ軸方向へと相対的に第１距離だけ移動することを許容する観点から設定しており、その第１距離を少なくとも撮像素子パッケージ５１におけるＹ軸方向で見た外形形状の中心位置に対する撮像素子１６の受光面１６ａの中心位置Ｒｃのずれ量の許容値（公差）に設定していることから、配置孔５２ａ内においてＹ軸方向での十分な調整代を確保することができ撮像素子パッケージ５１における公差を確実に吸収することができるので、中間部材５２すなわち保持部材５３に対するＹ軸方向での撮像素子パッケージ５１の位置をより適切に設定することができる。
【００５９】
撮像素子固定構造５０では、保持部材５３の配置孔５３ａを、Ｙ軸方向で見た両側に第２間隔Ｃ２を置きつつ中間部材５２を受け入れることが可能な大きさ寸法としていることから、Ｙ軸方向で見て配置孔５３ａ内の中間位置に中間部材５２を配するだけで、一対の第２中間対向面６１と一対の第１保持内側面６３とを第２間隔Ｃ２とすることができる。このため、中間部材５２と保持部材５３とのＹ軸方向での位置調整を容易なものとしつつ適切な状態でＹ軸方向に掛け渡す第２接着層６８を形成することができ、中間部材５２に取り付けられた撮像素子パッケージ５１すなわち撮像素子１６と保持部材５３とを容易にかつ適切に接合することができる。
【００６０】
撮像素子固定構造５０では、保持部材５３の配置孔５３ａを、Ｙ軸方向で見た両側に第２間隔Ｃ２を置きつつ中間部材５２を受け入れることが可能な大きさ寸法としており、その第２間隔Ｃ２を、ディスペンサー（図示せず）における１回の接着材の塗布量を基準として当該接着材が第２中間対向面６１と第１保持内側面６３との間を略均一な厚さ寸法（Ｚ軸方向で見た高さ寸法）で掛け渡すことを可能とする大きさに設定していることから、１回の接着材の塗布回数で１つの第２接着層６８を適切に形成することができる。このため、中間部材５２と保持部材５３との接合作業における接着材の塗布回数を最小限とすることができ、当該接合作業を効率良く行うことができる。
【００６１】
撮像素子固定構造５０では、第４間隔Ｃ４を中間部材５２と保持部材５３とがＸ軸方向へと相対的に第２距離だけ移動することを許容する観点から設定しており、その第２距離を少なくとも撮像素子パッケージ５１におけるＸ軸方向で見た外形形状の中心位置に対する撮像素子１６の受光面１６ａの中心位置Ｒｃのずれ量の許容値（公差）に設定していることから、配置孔５３ａ内における中間部材５２の変位によりＸ軸方向での十分な調整代を確保することができ撮像素子パッケージ５１における公差を確実に吸収することができるので、保持部材５３に対するＸ軸方向での撮像素子パッケージ５１の位置をより適切に設定することができる。
【００６２】
撮像素子固定構造５０では、中間部材５２に、Ｚ軸方向負側へ向かうに連れて撮像素子パッケージ５１の第１素子外側面５４へと接近するようにＹ−Ｚ平面に対して傾斜する接着材受面５８ａを有する接着用切欠部５８が設けられていることから、Ｚ軸方向の正側から接着用切欠部５８に接着剤を配するだけで、その接着剤を接着材受面５８ａと第１素子外側面５４とを掛け渡らせることができるので、第１接着層６７の形成作業を容易なものとすることができる。
【００６３】
撮像素子固定構造５０では、保持部材５３に、Ｚ軸方向負側へ向かうに連れて中間部材５２の第２中間対向面６１へと接近するようにＸ−Ｚ平面に対して傾斜する接着材受面６５ａを有する接着用切欠部６５が設けられていることから、Ｚ軸方向の正側から接着用切欠部６５に接着剤を配するだけで、その接着剤を接着材受面６５ａと第２中間対向面６１とを掛け渡らせることができるので、第２接着層６８の形成作業を容易なものとすることができる。
【００６４】
撮像素子固定構造５０では、中間部材５２が撮像素子パッケージ５１をＺ軸回りで取り巻く構成であるとともに、保持部材５３がその中間部材５２をＺ軸回りで取り巻く構成であることから、従来の撮像素子の裏面に保持部材を宛がう構成に比較して、厚さ寸法（Ｚ軸方向での大きさ寸法）の増大を防止することができる。特に、実施例１では、中間部材５２および保持部材５３が、Ｚ軸方向での厚さ寸法が撮像素子パッケージ５１よりも小さいものとされていることから、撮像素子パッケージ５１の厚さ寸法（Ｚ軸方向での大きさ寸法）とすることができる。
【００６５】
撮像素子固定構造５０では、第１接着層６７および第２接着層６８を形成するための接着材として紫外線硬化型のものを用いていることから、紫外線を照射する前であれば接着材を配した後であっても位置の調整を行うことができるので、保持部材５３に対するＸ−Ｙ平面に沿う方向での撮像素子パッケージ５１の撮像素子１６の受光面１６ａ（その中心位置Ｒｃ）の位置をより適切に設定することができる。
【００６６】
撮像素子固定構造５０を用いたデジタルカメラ１０では、適切な位置関係で撮像素子パッケージ５１が取り付けられた保持部材５３を載置ステージ３３で保持するものであることから、撮影光学系１２の撮影光軸に対して撮像素子１６を適切な位置とすることができるので、より適切な画像を取得することができる。
【００６７】
撮像素子固定構造５０を用いたデジタルカメラ１０では、適切な位置関係で撮像素子パッケージ５１が取り付けられた保持部材５３を保持する載置ステージ３３を、撮影光軸方向（Ｚ軸方向）に垂直な面（Ｘ−Ｙ平面）内で移動させて手ぶれを補正するものであることから、より精度の良い手ぶれ補正を行うことができる。
【００６８】
撮像素子固定構造５０を用いたデジタルカメラ１０では、従来の撮像素子の裏面に保持部材を宛がう構成に比較して、撮像素子固定構造５０における厚さ寸法（Ｚ軸方向での大きさ寸法）の増大を防止することができるので、自身の外形形状における厚さ寸法（Ｚ軸方向での大きさ寸法）の増大を防止することができ、よりコンパクトな構成とすることができる。
【００６９】
したがって、本発明に係る撮像素子固定構造５０では、厚さ寸法の増大を招くことなく、保持部材に対して適切な位置に撮像素子パッケージを固定することができる。
【００７０】
なお、上記した実施例１では、第１方向をＸ軸方向としかつ第２方向をＹ軸方向としていたが、第１方向が光軸方向に直交するものであるとともに、第２方向が当該光軸方向に直交しつつ第１方向に直交するものであればよく、上記した実施例１に限定されるものではない。
【００７１】
また、上記した実施例１では、撮像素子固定構造５０における撮像素子パッケージ５１の固定方法の第１工程において、ステップＳ２の後にステップＳ３を行うものとしていたが、逆の順序で行うものであってもよく、双方の調節を織り交ぜて行うものであってもよく、上記した実施例１に限定されるものではない。
【００７２】
さらに、上記した実施例１では、ステップＳ２およびステップＳ３により調整された状態を維持しつつ各接着用切欠部５８に接着剤を配していたが、先に各接着用切欠部５８に接着剤を配してからステップＳ２およびステップＳ３による調整を行うものであってもよく、上記した実施例１に限定されるものではない。
【００７３】
上記した実施例１では、撮像素子固定構造５０における撮像素子パッケージ５１の固定方法の第３工程において、ステップＳ６の後にステップＳ７を行うものとしていたが、逆の順序で行うものであってもよく、双方の調節を織り交ぜて行うものであってもよく、上記した実施例１に限定されるものではない。
【００７４】
上記した実施例１では、ステップＳ６およびステップＳ７により調整された状態を維持しつつ各接着用切欠部６５に接着剤を配していたが、先に各接着用切欠部６５に接着剤を配してからステップＳ６およびステップＳ７による調整を行うものであってもよく、上記した実施例１に限定されるものではない。
【００７５】
上記した実施例１では、中間部材５２に第１接着層６７の形成のための各接着用切欠部５８が設けられていたが、第１間隔Ｃ１とした第１素子外側面５４と第１中間対向面５６とを第１接着層６７でＸ軸方向に掛け渡すことにより、撮像素子パッケージ５１と中間部材５２とを接合することができれば、この接着用切欠部（５８）を撮像素子パッケージ５１に設けてもよく、各接着用切欠部５８を設けなくてもよく、上記した実施例１に限定されるものではない。
【００７６】
上記した実施例１では、保持部材５３に第２接着層６８の形成のための各接着用切欠部６５が設けられていたが、第２間隔Ｃ２とした第２中間対向面６１と第１保持内側面６３とを第２接着層６８でＹ軸方向に掛け渡すことにより、中間部材５２と保持部材５３とを接合することができれば、この接着用切欠部（６５）を中間部材５２に設けてもよく、各接着用切欠部６５を設けなくてもよく、上記した実施例１に限定されるものではない。
【実施例２】
【００７７】
次に、本発明の実施例２に係る撮像素子固定構造５０Ａおよびそれを用いたデジタルカメラ１０について、図１０を用いて説明する。この実施例２は、撮像素子固定構造５０Ａにおける構成が実施例１とは異なる例である。この実施例２の撮像素子固定構造５０Ａは、基本的な構成は上記した実施例１の撮像素子固定構造５０と同様であることから、等しい構成の個所には同じ符号を付し、その詳細な説明は省略する。また、実施例２のデジタルカメラ１０は、撮像素子固定構造５０Ａを用いることを除くと、実施例１のデジタルカメラ１０と同様であることから、その説明は省略する。図１０は、実施例２に係る撮像素子固定構造５０Ａの構成を説明するための図４と同様の説明図である。
【００７８】
実施例２に係る撮像素子固定構造５０Ａでは、図１０に示すように、撮像素子パッケージ５１と、中間部材５２Ａと、保持部材５３Ａと、を備える。この撮像素子パッケージ５１は、実施例１と同様の構成である。
【００７９】
中間部材５２Ａは、平板状の部材から形成された２つの中間片部６９を有する。両中間片部６９は、実施例２では、Ｚ軸方向での厚さ寸法が撮像素子パッケージ５１よりも小さいものとされている。この両中間片部６９は、Ｙ軸に関して線対称な構成とされていることから、基本的に同一の構成であるので、以下では、Ｘ軸方向正側に配される中間片部６９について説明し、他方の中間片部６９については省略する。
【００８０】
中間片部６９は、Ｙ軸方向に延びる長尺な板状を呈する本体部分６９ａと、その長尺方向の中間位置からＸ軸方向正側に突出する取付腕部分６９ｂと、を有する。本体部分６９ａは、Ｚ軸方向で見て、全体に矩形状を呈する。この本体部分６９ａは、Ｘ軸方向負側の外形形状を規定する外側面でＹ−Ｚ平面に沿う第１中間対向面５６Ａを形成している。取付腕部分６９ｂは、Ｚ軸方向で見て、全体に矩形状を呈する。この取付腕部分６９ｂは、Ｙ軸方向の外形形状を規定する一対の外側面でＸ−Ｚ平面に沿う第２中間対向面６１Ａを形成しており、Ｘ軸方向正側の外形形状を規定する外側面でＹ−Ｚ平面に沿う第３中間対向面６２Ａを形成している。中間部材５２Ａでは、両中間片部６９における本体部分６９ａのＹ軸方向正側の端部に中間基準位置５９Ａが設けられている。
【００８１】
この中間部材５２Ａとしての両中間片部６９は、Ｘ軸方向で見た撮像素子パッケージ５１の両側に、その第１素子外側面５４に第１中間対向面５６Ａが対向されて配される。このため、中間部材５２Ａでは、撮像素子パッケージ５１の第２素子外側面５５とＹ軸方向で対向する位置には何も存在させていない。換言すると、中間部材５２Ａでは、実施例１の第４中間対向面５７に相当する面を構成するものが何もないこととなる。このため、中間部材５２Ａでは、実施例１の中間部材５２と比較して、Ｙ軸方向で見た大きさ寸法が小さく設定されている。
【００８２】
保持部材５３Ａは、平板状の部材から形成されている。この保持部材５３Ａは、実施例２では、Ｚ軸方向での厚さ寸法が撮像素子パッケージ５１よりも小さいものとされている。保持部材５３Ａは、Ｚ軸方向で見て全体に矩形状を呈し、中央にＺ軸方向に貫通する配置孔５３Ａａが設けられている。この保持部材５３Ａおよびそこに設けられた配置孔５３Ａａは、中間部材５２Ａが実施例１の中間部材５２よりもＹ軸方向で見た大きさ寸法が小さいことから、実施例１の保持部材５３（配置孔５３ａ）と比較して、Ｙ軸方向で見た大きさ寸法が小さく設定されている。その配置孔５３Ａａは、Ｚ軸方向で見て撮像素子パッケージ５１を介在させた中間部材５２Ａの外形形状に倣う矩形状とされて、その中間部材５２Ａよりも大きな大きさ寸法とされている。配置孔５３Ａａは、その各辺がＸ軸方向およびＹ軸方向に沿うものとされており、Ｙ軸方向に沿う箇所の中間位置に一対の受入切欠５３ｂが設けられている。
【００８３】
この両受入切欠５３ｂは、Ｚ軸方向で見て全体に矩形状を呈し、その各辺がＸ軸方向およびＹ軸方向に沿うものとされている。この両受入切欠５３ｂは、中間部材５２Ａの両取付腕部分６９ｂを、間隔を置いて受け入れることが可能な大きさ寸法とされている。このため、保持部材５３Ａは、Ｘ−Ｙ平面で見て、撮像素子パッケージ５１を介在させた中間部材５２Ａを取り囲むことが可能な枠状とされている。
【００８４】
この両受入切欠５３ｂを規定する壁面において、Ｙ軸方向上の位置に存在し取付腕部分６９ｂにより規定される一対の第２中間対向面６１ＡとＹ軸方向で対向するそれぞれの面を第１保持内側面６３Ａとする。また、両受入切欠５３ｂを規定する壁面において、Ｘ軸方向上の位置に存在し取付腕部分６９ｂにより規定される第３中間対向面６２ＡとＸ軸方向で対向する面を第２保持内側面６４Ａとする。
【００８５】
この保持部材５３Ａでは、配置孔５３Ａａおよびその両受入切欠５３ｂの大きさ寸法が次のように設定されている。配置孔５３Ａａでは、Ｘ軸方向で見て、撮像素子パッケージ５１を介在させた中間部材５２Ａにおいて、各第１中間対向面５６Ａと各第１素子外側面５４との間に第１間隔Ｃ１Ａを設定することを可能とする大きさ寸法とされている。その第１間隔Ｃ１Ａは、第１接着層６７Ａを形成すべく各第１中間対向面５６Ａと各第１素子外側面５４との間に配される接着剤の材質および量を勘案して設定する。この第１接着層６７Ａは、実施例１の第１接着層６７とは異なり、各第１中間対向面５６Ａと各第１素子外側面５４との間に形成される。このため、第１間隔Ｃ１Ａは、実施例１のディスペンサー（図示せず）における１回の接着剤の塗布量を基準として、各第１中間対向面５６Ａと各第１素子外側面５４との間に第１接着層６７Ａのための接着剤が配された際、当該接着剤が各第１中間対向面５６Ａと各第１素子外側面５４との間を略均一な厚さ寸法（Ｚ軸方向で見た高さ寸法）で掛け渡すことを可能とする大きさに設定する。この第１間隔Ｃ１Ａは、実施例２では、０．３ｍｍに設定している。
【００８６】
また、両受入切欠５３ｂでは、各第１保持内側面６３Ａが、それぞれが対向する中間部材５２Ａの取付腕部分６９ｂの各第２中間対向面６１Ａと、Ｙ軸方向で見て第２間隔Ｃ２Ａを置いて対向するものとされている。すなわち、両受入切欠５３ｂは、Ｙ軸方向で見た両側に第２間隔Ｃ２Ａを置きつつ中間部材５２Ａの取付腕部分６９ｂを受け入れることが可能な大きさ寸法とされている。この第２間隔Ｃ２Ａは、第２接着層６８Ａを形成すべく第１保持内側面６３Ａと第２中間対向面６１Ａとの間に配される接着剤の材質および量を勘案して設定する。この第２接着層６８Ａは、実施例１の第２接着層６８とは異なり、第１保持内側面６３Ａと第２中間対向面６１Ａとの間に形成される。このため、第２間隔Ｃ２Ａは、実施例１のディスペンサー（図示せず）における１回の接着剤の塗布量を基準として、第１保持内側面６３Ａと第２中間対向面６１Ａとの間に第２接着層６８Ａのための接着剤が配された際、当該接着剤が第１保持内側面６３Ａと第２中間対向面６１Ａとの間を略均一な厚さ寸法（Ｚ軸方向で見た高さ寸法）で掛け渡すことを可能とする大きさに設定する。この第２間隔Ｃ２Ａは、実施例２では、０．３ｍｍに設定している。
【００８７】
さらに、両受入切欠５３ｂでは、第２保持内側面６４Ａが、それぞれが対向する中間部材５２Ａの取付腕部分６９ｂの第３中間対向面６２Ａと、Ｘ軸方向で見て第４間隔Ｃ４を置いて対向するものとされている。すなわち、両受入切欠５３ｂは、Ｘ軸方向で見た両側に第４間隔Ｃ４を置きつつ撮像素子パッケージ５１を介在させた中間部材５２Ａ（中間片部６９）を受け入れることが可能な大きさ寸法とされている。この第４間隔Ｃ４は、実施例１と同様であり、０．８ｍｍに設定している。
【００８８】
加えて、配置孔５３Ａａでは、Ｙ軸方向で見て、中間部材５２Ａ（中間片部６９）に対して第１距離で移動され得る撮像素子パッケージ５１の位置に拘らず、撮像素子パッケージ５１を介在させた中間部材５２Ａ（中間片部６９）を受け入れ可能な大きさ寸法とされている。この保持部材５３Ａでは、両受入切欠５３ｂを含む配置孔５３Ａａに干渉しない位置に、保持基準位置６６Ａが設けられている。
【００８９】
この撮像素子固定構造５０Ａでは、実施例１の固定方法（図８参照）のステップＳ１に相当する作業として、Ｘ軸方向で、撮像素子パッケージ５１を介在させて両中間片部６９を配する。また、そのステップＳ２に相当する作業として、両中間片部６９の中間基準位置５９Ａと、撮像素子パッケージ５１の外形形状（各第１素子外側面５４）と、を所定の位置関係とする。さらに、そのステップＳ３に相当する作業として、両中間片部６９の中間基準位置５９Ａと、撮像素子パッケージ５１の撮像素子１６の受光面１６ａの中心位置Ｒｃとを、Ｙ軸方向で見て所定の位置関係とする。ついで、ステップＳ４に相当する作業として、第１間隔Ｃ１とされた各第１中間対向面５６Ａと各第１素子外側面５４との間に接着剤を配して、それらをＸ軸方向に掛け渡す第１接着層６７Ａを形成する。ステップＳ８に相当する作業として、第２間隔Ｃ２Ａとされた各第１保持内側面６３Ａと各第２中間対向面６１Ａとの間に接着剤を配して、それらをＹ軸方向に掛け渡す第２接着層６８Ａを形成する。これらのことを除くと、撮像素子固定構造５０Ａでは、実施例１の撮像素子固定構造５０と同様に、撮像素子（撮像素子パッケージ５１）を固定することができる。
【００９０】
実施例２の撮像素子固定構造５０Ａ（デジタルカメラ１０）では、基本的に実施例１の撮像素子固定構造５０（デジタルカメラ１０）と同様の構成であることから、基本的に実施例１と同様の効果を得ることができる。
【００９１】
それに加えて、実施例２の撮像素子固定構造５０Ａ（デジタルカメラ１０）では、中間部材５２Ａにおいて、撮像素子パッケージ５１の一対の第２素子外側面５５とＹ軸方向で対向する位置に何も存在するものがないことから、実施例１の中間部材５２と比較して、Ｙ軸方向で見た大きさ寸法を小さくすることができる。これにより、撮像素子固定構造５０Ａでは、実施例１の撮像素子固定構造５０と比較して、第２方向としてのＹ軸方向で見た大きさ寸法を小さくすることができ、よりコンパクトな構成とすることができる。
【００９２】
したがって、本発明に係る撮像素子固定構造５０Ａでは、厚さ寸法の増大を招くことなく、保持部材に対して適切な位置に撮像素子パッケージを固定することができる。
【実施例３】
【００９３】
次に、本発明の実施例３に係る撮像素子固定構造５０Ｂおよびそれを用いたデジタルカメラ１０について、図１１を用いて説明する。この実施例３は、撮像素子固定構造５０Ｂにおける構成が実施例１および実施例２とは異なる例である。この実施例３の撮像素子固定構造５０Ｂは、基本的な構成は上記した実施例１の撮像素子固定構造５０と同様であって実施例２の撮像素子固定構造５０Ａにおける第１方向および第２方向の設定を変更したものであることから、等しい構成の個所には同じ符号を付し、その詳細な説明は省略する。また、実施例３のデジタルカメラ１０は、撮像素子固定構造５０Ｂを用いることを除くと、実施例１のデジタルカメラ１０と同様であることから、その説明は省略する。図１１は、実施例３に係る撮像素子固定構造５０Ｂの構成を説明するための図４と同様の説明図である。
【００９４】
実施例３に係る撮像素子固定構造５０Ｂでは、図１１に示すように、撮像素子パッケージ５１と、中間部材５２Ｂと、保持部材５３Ｂと、を備える。この撮像素子パッケージ５１は、実施例１と同様の構成である。
【００９５】
中間部材５２Ｂは、実施例２の中間部材５２Ａと同様の構成であって、２つの中間片部６９Ｂを有する。この両中間片部６９Ｂは、Ｘ軸に関して線対称な構成とされている。このため、中間部材５２Ｂでは、本体部分６９ａにおけるＹ軸方向の外形形状を規定する外側面で、Ｘ−Ｚ平面に沿う第１中間対向面５６Ｂを形成している。また、中間部材５２Ｂでは、取付腕部分６９ｂにおけるＸ軸方向の外形形状を規定する一対の外側面でＹ−Ｚ平面に沿う一対の第２中間対向面６１Ｂを形成しており、Ｙ軸方向の外形形状を規定する外側面でＸ−Ｚ平面に沿う第３中間対向面６２Ｂを形成している。さらに、中間部材５２Ｂでは、両中間片部６９Ｂにおける本体部分６９ａのＸ軸方向正側の端部に中間基準位置５９Ｂが設けられている。
【００９６】
この中間部材５２Ｂとしての両中間片部６９Ｂは、Ｙ軸方向で見た撮像素子パッケージ５１の両側に、第１中間対向面５６Ｂを対向されて配される。このため、撮像素子固定構造５０Ｂでは、撮像素子パッケージ５１において、Ｙ軸方向上の位置に存在する一対の外側面が第１素子外側面５４Ｂとなり、Ｘ軸方向上の位置に存在する一対の外側面が第２素子外側面５５Ｂとなる。また、撮像素子固定構造５０Ｂの中間部材５２Ｂでは、撮像素子パッケージ５１の第２素子外側面５５ＢとＸ軸方向で対向する位置には何も存在させていない。換言すると、中間部材５２Ｂでは、実施例１の第４中間対向面５７に相当する面を構成するものが何もないこととなる。このため、中間部材５２Ｂでは、実施例１の中間部材５２と比較して、Ｘ軸方向で見た大きさ寸法が小さく設定されている。
【００９７】
保持部材５３Ｂは、実施例２の保持部材５３Ａと同様の構成であって、Ｚ軸方向で見て全体に矩形状を呈し、中央にＺ軸方向に貫通する配置孔５３Ｂａが設けられている。その配置孔５３Ｂａは、Ｚ軸方向で見て撮像素子パッケージ５１を介在させた中間部材５２Ｂの外形形状に倣う矩形状とされて、その中間部材５２Ｂよりも大きな大きさ寸法とされている。配置孔５３Ｂａは、その各辺がＸ軸方向およびＹ軸方向に沿うものとされており、Ｘ軸方向に沿う箇所の中間位置に一対の受入切欠５３Ｂｂが設けられている。
【００９８】
その両受入切欠５３Ｂｂは、Ｚ軸方向で見て全体に矩形状を呈し、その各辺がＸ軸方向およびＹ軸方向に沿うものとされている。この両受入切欠５３Ｂｂは、中間部材５２Ｂの両取付腕部分６９ｂを、間隔を置いて受け入れることが可能な大きさ寸法とされている。このため、保持部材５３Ｂは、Ｘ−Ｙ平面で見て、撮像素子パッケージ５１を介在させた中間部材５２Ｂを取り囲むことが可能な枠状とされている。
【００９９】
この両受入切欠５３Ｂｂを規定する壁面において、Ｘ軸方向上の位置に存在し取付腕部分６９ｂにより規定される一対の第２中間対向面６１ＢとＹ軸方向で対向するそれぞれの面を第１保持内側面６３Ｂとする。また、両受入切欠５３Ｂｂを規定する壁面において、Ｙ軸方向上の位置に存在し取付腕部分６９ｂにより規定される第３中間対向面６２ＢとＹ軸方向で対向する面を第２保持内側面６４Ｂとする。
【０１００】
この保持部材５３Ｂでは、配置孔５３Ｂａおよびその両受入切欠５３Ｂｂの大きさ寸法が次のように設定されている。配置孔５３Ｂａでは、Ｙ軸方向で見て、撮像素子パッケージ５１を介在させた中間部材５２Ｂにおいて、各第１中間対向面５６Ｂと各第１素子外側面５４Ｂとの間に第１間隔Ｃ１Ｂを設定することを可能とする大きさ寸法とされている。その第１間隔Ｃ１Ｂは、第１接着層６７Ｂを形成すべく各第１中間対向面５６Ｂと各第１素子外側面５４Ｂとの間に配される接着剤の材質および量を勘案して設定する。この第１接着層６７Ｂは、実施例２の第１接着層６７Ａと同様に、各第１中間対向面５６Ｂと各第１素子外側面５４Ｂとの間に形成される。このため、第１間隔Ｃ１Ｂは、実施例１のしたディスペンサー（図示せず）における１回の接着剤の塗布量を基準として、各第１中間対向面５６Ｂと各第１素子外側面５４Ｂとの間に第１接着層６７Ｂのための接着剤が配された際、当該接着剤が各第１中間対向面５６Ｂと各第１素子外側面５４Ｂとの間を略均一な厚さ寸法（Ｚ軸方向で見た高さ寸法）で掛け渡すことを可能とする大きさに設定する。この第１間隔Ｃ１Ｂは、実施例３では、０．３ｍｍに設定している。
【０１０１】
また、両受入切欠５３Ｂｂでは、各第１保持内側面６３Ｂが、それぞれが対向する中間部材５２Ｂの取付腕部分６９ｂの各第２中間対向面６１Ｂと、Ｘ軸方向で見て第２間隔Ｃ２Ｂを置いて対向するものとされている。すなわち、両受入切欠５３Ｂｂは、Ｙ軸方向で見た両側に第２間隔Ｃ２Ｂを置きつつ中間部材５２Ｂの取付腕部分６９ｂを受け入れることが可能な大きさ寸法とされている。この第２間隔Ｃ２Ｂは、第２接着層６８Ｂを形成すべく第１保持内側面６３Ｂと第２中間対向面６１Ｂとの間に配される接着剤の材質および量を勘案して設定する。この第２接着層６８Ｂは、実施例２の第２接着層６８Ａと同様に、各第１保持内側面６３Ｂと各第２中間対向面６１Ｂとの間に形成される。このため、第２間隔Ｃ２Ｂは、実施例１のディスペンサー（図示せず）における１回の接着剤の塗布量を基準として、第１保持内側面６３Ｂと第２中間対向面６１Ｂとの間に第２接着層６８Ｂのための接着剤が配された際、当該接着剤が第１保持内側面６３Ｂと第２中間対向面６１Ｂとの間を略均一な厚さ寸法（Ｚ軸方向で見た高さ寸法）で掛け渡すことを可能とする大きさに設定する。この第２間隔Ｃ２Ｂは、実施例３では、０．３ｍｍに設定している。
【０１０２】
さらに、両受入切欠５３Ｂｂでは、各第２保持内側面６４Ｂが、それぞれが対向する中間部材５２Ｂの取付腕部分６９ｂの第３中間対向面６２Ｂと、Ｙ軸方向で見て第４間隔Ｃ４を置いて対向するものとされている。すなわち、両受入切欠５３Ｂｂは、Ｙ軸方向で見た両側に第４間隔Ｃ４を置きつつ撮像素子パッケージ５１を介在させた中間部材５２Ｂの中間片部６９Ｂを受け入れることが可能な大きさ寸法とされている。この第４間隔Ｃ４は、実施例１と同様であり、０．８ｍｍに設定している。
【０１０３】
加えて、配置孔５３Ｂａでは、Ｘ軸方向で見て、中間部材５２Ｂ（中間片部６９Ｂ）に対して第１距離で移動され得る撮像素子パッケージ５１の位置に拘らず、撮像素子パッケージ５１を介在させた中間部材５２Ｂ（中間片部６９Ｂ）を受け入れ可能な大きさ寸法とされている。この保持部材５３Ｂでは、両受入切欠５３Ｂｂを含む配置孔５３Ｂａに干渉しない位置に、保持基準位置６６Ｂが設けられている。
【０１０４】
この撮像素子固定構造５０Ｂでは、実施例１の固定方法（図８参照）のステップＳ１に相当する作業として、Ｙ軸方向で、撮像素子パッケージ５１を介在させて両中間片部６９Ｂを配する。また、そのステップＳ２に相当する作業として、両中間片部６９Ｂの中間基準位置５９Ｂと、撮像素子パッケージ５１の外形形状（各第１素子外側面５４Ｂ）と、を所定の位置関係とする。さらに、そのステップＳ３に相当する作業として、両中間片部６９Ｂの中間基準位置５９Ｂと、撮像素子パッケージ５１の撮像素子１６の受光面１６ａの中心位置Ｒｃとを、Ｘ軸方向で見て所定の位置関係とする。ついで、ステップＳ４に相当する作業として、第１間隔Ｃ１Ｂとされた各第１中間対向面５６Ｂと各第１素子外側面５４Ｂとの間に接着剤を配して、それらをＹ軸方向に掛け渡す第１接着層６７Ｂを形成する。ついで、ステップＳ８に相当する作業として、第２間隔Ｃ２Ｂとされた各第１保持内側面６３Ｂと各第２中間対向面６１Ｂとの間に接着剤を配して、それらをＸ軸方向に掛け渡す第２接着層６８Ｂを形成する。これらのことを除くと、撮像素子固定構造５０Ｂでは、実施例１の撮像素子固定構造５０と同様に、撮像素子（撮像素子パッケージ５１）を固定することができる。
【０１０５】
実施例３の撮像素子固定構造５０Ｂ（デジタルカメラ１０）では、基本的に実施例１の撮像素子固定構造５０（デジタルカメラ１０）と同様の構成であることから、基本的に実施例１と同様の効果を得ることができる。
【０１０６】
それに加えて、実施例３の撮像素子固定構造５０Ｂ（デジタルカメラ１０）では、中間部材５２Ｂにおいて、撮像素子パッケージ５１の第２素子外側面５５ＢとＸ軸方向で対向する位置に何も存在するものがないことから、実施例１の中間部材５２と比較して、Ｘ軸方向で見た大きさ寸法を小さくすることができる。これにより、撮像素子固定構造５０Ｂでは、実施例１の撮像素子固定構造５０と比較して、第２方向としてのＸ軸方向で見た大きさ寸法を小さくすることができ、よりコンパクトな構成とすることができる。
【０１０７】
したがって、本発明に係る撮像素子固定構造５０Ｂでは、厚さ寸法の増大を招くことなく、保持部材に対して適切な位置に撮像素子パッケージを固定することができる。
【０１０８】
なお、上記した各実施例では、本発明に係る撮像素子固定構造の一例としての撮像素子固定構造５０、５０Ａ、５０Ｂについて説明したが、被写体像を受光面で取得する撮像素子を含み前記受光面に直交する光軸方向で見て矩形状を呈する撮像素子パッケージと、該撮像素子パッケージにおいて光軸方向に直交する第１方向上に存在する一対の素子外側面と第１間隔で対向する一対の第１中間対向面を規定し、かつ光軸方向に直交しつつ前記第１方向に直交する第２方向への前記撮像素子パッケージの相対的な第１距離の移動を許容する中間部材と、前記素子外側面と前記第１中間対向面とを掛け渡して接合する第１接着層と、前記中間部材において前記第２方向上に存在する一対の第２中間対向面と第２間隔で対向する一対の保持内側面を規定し、かつ前記第１方向への前記中間部材の相対的な第２距離の移動を許容する保持部材と、前記第２中間対向面と前記保持内側面とを掛け渡して接合する第２接着層と、を備え、前記第１間隔は、前記第１距離の半分の値よりも小さく設定され、前記第２間隔は、前記第２距離の半分の値よりも小さく設定されている撮像素子固定構造であればよく、上記した各実施例に限定されるものではない。
【０１０９】
また、上記した各実施例では、本発明に係る撮像素子固定構造の一例としての撮像素子固定構造５０、５０Ａ、５０Ｂについて説明したが、撮像素子パッケージ５１と中間部材５２との間で、撮像素子１６（撮像素子パッケージ５１）の第２方向の位置の調整を可能としつつ第１方向で所定の第１間隔Ｃ１での各第１接着層６７による接合を可能とするとともに、中間部材５２と保持部材５３との間で、撮像素子１６（撮像素子パッケージ５１）の第１方向の位置の調整を可能としつつ第２方向で所定の第２間隔Ｃ２での各第２接着層６８による接合を可能とするものであればよく、上記した各実施例に限定されるものではない。
【０１１０】
さらに、上記した各実施例では、第１接着層６７および第２接着層６８を形成するための接着材として紫外線硬化型のものを用いていたが、撮像素子パッケージ５１と中間部材（５２等）とを、もしくは中間部材（５２等）と保持部材（５３等）とを、接合することができるものであればよく、上記した各実施例に限定されるものではない。
【０１１１】
上記した各実施例では、デジタルカメラ１０について説明しているが、本発明に係る撮像素子固定構造（５０、５０Ａ、５０Ｂ）を用いるものであれば、いわゆるＰＤＡ（ｐｅｒｓｏｎａｌ  ｄａｔａ  ａｓｓｉｓｔａｎｔ）や携帯電話機等の携帯型情報端末装置としての電子機器や画像入力装置としての電子機器であってもよく、上記した各実施例に限定されるものではない。これは、上述した電子機器では、カメラ機能を組み込んだものが近年登場しており、そのような電子機器も外観は若干異にするもののデジタルカメラ１０と実質的に全く同様の機能・構成を含んでいるものが多いことによる。
【０１１２】
以上、本発明の撮像素子固定構造を各実施例に基づき説明してきたが、具体的な構成については各実施例に限られるものではなく、本発明の要旨を逸脱しない限り、設計の変更や追加等は許容される。
【符号の説明】
【０１１３】
１０  （撮像装置の一例としての）デジタルカメラ
５０、５０Ａ、５０Ｂ  撮像素子固定構造
５１  撮像素子パッケージ
５２、５２Ａ、５２Ｂ  中間部材
５３、５３Ａ、５３Ｂ  保持部材
５４、５４Ｂ  第１素子外側面
５５、５５Ｂ  第２素子外側面
５６、５６Ａ、５６Ｂ  第１中間対向面
５７  第４中間対向面
５９、５９Ａ、５９Ｂ  中間基準位置
６１、６１Ａ、６１Ｂ  第２中間対向面
６２、６２Ａ、６２Ｂ  第３中間対向面
６３、６３Ａ、６３Ｂ  第１保持内側面
６４、６４Ａ、６４Ｂ  第２保持内側面
６６、６６Ａ、６６Ｂ  保持基準位置
６７、６７Ａ、６７Ｂ  第１接着層
６８、６８Ａ、６８Ｂ  第２接着層
Ｃ１、Ｃ１Ａ、Ｃ１Ｂ  第１間隔
Ｃ２、Ｃ２Ａ、Ｃ２Ｂ  第２間隔
Ｃ３  （第１距離のための）第３間隔
Ｃ４  第４間隔
Ｒｃ  中心位置
【先行技術文献】
【特許文献】
【０１１４】
【特許文献１】特開２００６−０９４４４４号公報
【図１】
0005754271.tif 000002
【図２】
0005754271.tif 000003
【図３】
0005754271.tif 000004
【図４】
0005754271.tif 000005
【図５】
0005754271.tif 000006
【図６】
0005754271.tif 000007
【図７】
0005754271.tif 000008
【図８】
0005754271.tif 000009
【図９】
0005754271.tif 000010
【図１０】
0005754271.tif 000011
【図１１】
0005754271.tif 000012